(57)【要約】  異種フォーマット情報の校合とユーザーの望むフォーマットによる表示用コンピュータ利用システムを提供する。システムクライアント関連の情報を追加の個人情報とともに一時レポジトリに保存する。これらの保存された情報の項目は通常は、異なる形式であって、これらをシステムによりシステムユーザーの望む形式または予め規定された形式に変換する。システムに常駐される入力モジュールはユーザーから必要な出力情報フォーマット、情報の校合を要するクライアントに対応するクライアント識別子を受け取る。クライアント識別子に基づいて、システムは保存済みのクライアント関連情報を必要な形式に変換し、変換された情報を校合・表示して、後続処理を可能にする。【選択図】図１
2017530485.tif 000002
【特許請求の範囲】
【請求項１】
異種フォーマット情報の校合・表示用コンピュータ利用システムであって、前記の異種フォーマット情報はテキスト形式、画像形式、動画形式の情報を含み、前記のシステムは以下から成る：
一組のルールを保存するように構成されたメモリ
メモリと協業して一組のルールを受け取り、前記のルールに基づいて一組のコマンドを生成するように構成されたプロセッサ
プロセッサに結合され、異種フォーマット情報の複数の項目を保存するための一時レポジトリであって、ここに、異種フォーマット情報の各項目がクライアント識別子でタグ化されている
プロセッサに結合され、クライアントと希望する出力情報のフォーマットに対応したクライアント識別子をユーザーから受けるように構成された入力モジュール
プロセッサに結合され、一組のコマンドを受け取り、入力モジュールと協業してクライアント識別子を受け取るように構成されたクローラと抽出子であって、前記のクローラと抽出子はさらに、一時レポジトリをクロールし、異種フォーマット情報 の項目に付いたタグを読み取り、受け取ったクライアント識別子のタグが付きの全項目を抽出するように構成されている。
プロセッサに結合され、一組のコマンドを受け取り、入力モジュールと協業して必要な出力情報フォーマットで受け取るように構成された変換ツールであって、前記の変換ツールはさらに、クローラと抽出子と協業して抽出項目を受け取り、異種フォーマット情報の抽出された項目を受け取った必要な出力情報フォーマットに変換し、前記の受け取った一組のコマンドに基づいて変換後の項目を取得するように構成されている。
プロセッサに結合され、一組のコマンドを受け取り、変換ツールと協業して変換された項目を受け取るように構成された校合子であって、前記の校合子はさらに、前記のクライアント識別子と対応する変換された項目を校合し、前記の受け取られた一組のコマンドに基づいてクライアント関連の校合済み情報を取得するように構成されている。
プロセッサに結合され、一組のコマンドを受け取り、校合子と協業してクライアント関連の校合済み情報を受け取るように構成されたディスプレイであって、前記のディスプレイはさらに前記の受け取られた一組のコマンドに基づいて前記の校合済み情報を表示するように構成されている。
【請求項２】
請求項1に請求されるシステムであって、ここに、前記システムは複数のクライアントを登録し、異種フォーマット情報の項目をクライアントから受け入れ、登録に成功すると一時レポジトリに保存するように構成された登録モジュールから構成される
【請求項３】
請求項1に請求されるシステムであって、ここに、前記システムはさらに、異種フォーマット情報と対応する閾値の複数の項目の中から複数の予め定義された必要項目を含む表を保存するように構成され、さらに、対応するクライアント識別子のタグ付き校合済み情報を保存するように構成されている常駐レポジトリから構成される。
【請求項４】
請求項1において請求されるシステム。ここに、前記のシステムはさらに以下から構成される。
プロセッサに結合され、一組のコマンドを受け取り、クローラと抽出子と協業して抽出項目を受け取り、受け取った抽出項目の中から必要項目を識別するように構成された識別子とカウンターであって、前記の識別子とカウンターはさらに、前記の項目の中から識別済みの必要項目を数え、前記の項目と対応する必要項目数を取得するようにも構成されている。
プロセッサに結合され、一組のコマンドを受け取り、クローラと抽出子と協業して抽出項目を受け取るように構成された認証子；保存された必要項目と抽出項目に対応する閾値を受け取る常駐レポジトリ；識別された必要項目と前記の項目に対応する必要項目数を受け取る識別子とカウンター；前記の認証子はさらに保存済みの必要項目と閾値を受け取った必要項目と抽出項目の中から必要項目数と照合し、項目を認証するように構成されている。
【請求項５】
請求項1に請求されるシステムであって、ここに、前記システムはクライアントが提供した情報のフォーマットを確認するように構成されており、さらに、クライアントが提供した情報フォーマットが適合しない場合は処理可能なフォーマットの情報を提供するようにクライアントに要求するように構成されている。
【請求項６】
請求項1に請求されるシステムであって、ここに、前記システムはクライアントに提供された情報のフォーマットを特定するように要求するように構成され、さらに、提供された情報を変換するのに適する変換ツールをインポートまたは承認するように構成されている。
【請求項７】
請求項1に請求されるシステムであって、ここに、前記システムは提供された情報を認証するように構成され、さらにクライアントが提供した情報が適合しない場合は、修正情報を提供するようクライアントに要求するように構成されている。
【請求項８】
請求項1に請求されるシステムであって、ここに、前記システムはクライアントから提供された情報が適合することを確認するように構成され、さらに適合しない情報を根拠付けるための根拠文書が、クライアントにより提供されたことを確認するように構成されている。
【請求項９】
請求項1に請求されるシステムであって、ここに、前記システムは、常駐レポジトリと協業して保存済みの複数の予め定義された閾値を編集するように構成されたエディターから構成される。
【請求項１０】
請求項1に請求されるシステムであって、ここに、前記システムは予め定義された期間が経過すると異種フォーマット情報の保存された項目を一時レポジトリから消去するように構成されている。
【請求項１１】
請求項1に請求されるシステムであって、ここに、前記校合子は変換された項目が予め定義された必須情報を成すことを確認するように構成された確認モジュールを含み、前記の確認モジュールはさらに、必須情報が欠如している場合はユーザーに通知するように構成されている。
【請求項１２】
請求項4に請求されるシステムであって、ここに、前記認証子は異種フォーマット情報項目をDNA型鑑定技術で認証するように構成されたDNA認証子を含む。
【請求項１３】
異種フォーマット情報を校合・表示するコンピュータ利用方法であって、前記の異種フォーマット情報はテキスト形式、画像形式、動画形式の情報を含む。前記の方法は以下から構成される。
一組のルールを保存し、前記のルールに基づいて一組のコマンドを生成する
さらに複数の項目の異種フォーマット情報を一時レポジトリに保存し、ここで、異種フォーマット情報の各項目がクライアント識別子のタグが付けられる
ユーザーからクライアントと希望する出力情報のフォーマットに対応したクライアント識別子を受け取る
一時レポジトリをクロールし、異種フォーマット情報の項目に付いたタグを読み取り、前記の一組のコマンドに基づいて承認されたクライアント識別子によるタグが付きの全項目を抽出し、抽出項目を取得する
異種フォーマット情報の抽出された項目を承認済みの必要な出力情報フォーマットに前記の一組のコマンドに基づいて変換し、変換後の項目を取得する
前記のクライアント識別子と対応して変換された項目を前記の一組のコマンドに基づいて校合し、前記クライアント関連の校合済み情報を取得する
前記の校合済み情報を前記の一組のコマンドに基づいて表示する。
【請求項１４】
請求項13に請求される方法であって、ここに、前記の方法は、複数クライアントの登録、クライアントから入力された異種フォーマット情報項目の承認、登録が成功した一時レポジトリへの保存を含む。
【請求項１５】
請求項13に請求される方法であって、ここに、前記の方法はさらに、常駐レポジトリへの対応するクライアント識別子のタグ付き校合済み情報の保存、異種フォーマット情報の複数の項目と対応する閾値の中から複数の予め定義された必要項目を記載した表の保存を含む。
【請求項１６】
請求項13において請求される方法であって、ここに、前記の方法は以下から構成される。
前記の抽出項目の中から必要項目を識別し、前記の項目の中から識別された必要項目を数え、前記の項目に対応する必要項目数を取得し、
常駐レポジトリに保存済みの必要項目と閾値を識別された必要項と抽出項目の中から必要項目数を照合して項目を認証する。
【請求項１７】
請求項13において請求される方法であって、ここに、前記の方法はクライアントから提供された情報のフォーマット確認、提供された情報のフォーマットが適さない場合に処理可能な形式の情報を提供するようクライアントに要求することを含む。
【請求項１８】
請求項13において請求される方法であって、ここに、前記の方法はクライアントから提供された情報のフォーマットを特定し、提供された情報を変換するために適する変換ツールをインポートまたは承認するよう要求することを含む。
【請求項１９】
請求項13において請求される方法であって、ここに、前記の方法は、提供された情報の認証、さらにクライアントから提供された情報が適さない場合には情報修正を要求することを含む。
【請求項２０】
請求項13において請求される方法であって、ここに、前記の方法はクライアントから提供された情報が適すことを確認、および、適さない情報を根拠付けるためにクライアントから根拠文書提供されたことの確認を含む。
【請求項２１】
請求項13において請求される方法であって、ここに、前記の方法は保存済み複数の予め定義された閾値の編集を含む。
【請求項２２】
請求項13において請求される方法であって、ここに、前記の方法は予め定義された期間が経過すると異種フォーマット情報の保存された項目を一時レポジトリから消去することを含む。
【請求項２３】
請求項13において請求される方法であって、ここに、前記の方法は変換された項目が予め定義された必須情報を構成することを確認し、必須情報が欠如していればユーザーに通知することを含む。
【請求項２４】
請求項16において請求される方法であって、ここに、前記の項目認証手順にはDNA型鑑定技術を使用した異種フォーマット情報の項目認証を含む。
【発明の詳細な説明】
【技術分野】
【０００１】
本発明は異なるフォーマットによる情報の校合と表示分野に関する。
【背景技術】
【０００２】
典型的作業環境は複数のアプリケーションを実装したコンピュータ1台または複数から成っている。これらのアプリケーションは通常異なるファイル形式の文書/情報を作成および/または保存する。現状利用可能な変換ツールはアプリケーションモジュールが異種形式のファイルを元にアプリケーションモジュールによって認識しうるフォーマットに変換することを可能にする。近年においてはエンドユーザーがアプリケーション横断的に単一ビューでアーカイブを希望しており、コンテンツの校合を促した。適用するデータ表示をレポート形態に変換する多くのアプリケーションは存在するが、適用するデータの単一ビューを異種システム、フォーマット、場所で提供しうるアプリケーションに対するニーズが存在する。
【０００３】
現在利用可能な多くの変換ツールはアプリケーションモジュールが異種形式のファイルを元にアプリケーションモジュールによって認識しうるフォーマットに変換することを可能にする。変換ツールが異種ファイル形式を認識できない場合、ユーザーは形式を手動で識別するか、変換プロセスを終了するように指示される。さらに、一部のファイル異種形式/ネーティブ形式は内在的な構造ゆえに変換が困難な場合がある。
【０００４】
エンドユーザーが異なる形式のファイルを一つの共通形式に変換したい場合、変換すべきファイル形式別に複数の種類の変換ツールを使用せざるをえない。その変換が完了するとさらに、すべての変換済みファイルをユーザーの望む場所に一括してからでないと、エンドユーザーは次の操作を行うことができない。
【０００５】
従って、上記のファイル形式変換とデータの校合という時間のかかるプロセスによる不利を軽減するため、業界にはプラットフォーム非依存システムを開発する必要性がある。
【発明の概要】
【発明が解決しようとする課題】
【０００６】
発明の目的 
本発明によるシステムの一つの目的は複数のフォーマットに散在する情報を校合するシステムを提供することである。
【０００７】
本発明によるシステムのもう一つの目的は校合された異種フォーマット情報をユーザーが指定するフォーマットで校合し表示するシステムを提供することである。
【０００８】
本発明によるシステムのさらに一つの目的は不明な情報フォーマットに適するフォーマットが取得できるシステムを提供することである。
【０００９】
本発明のその他の目的と優位性は、本発明の範囲をこれに限定することは意図されていない、付帯図面を参照しつつ読むと以下の説明からさらに明らかとなる。
【課題を解決するための手段】
【００１０】
発明の要約
本発明は異種フォーマット情報の校合・表示用コンピュータ利用システムに関する。一つの実施形態において、同システムは一組の規則を保存するように構成されたメモリと前記の規則を受けてメモリと協業し、これらの規則に基づいて一組のコマンドセットを生成するように構成されたプロセッサから成る。同システムはさらに異種フォーマット情報の複数の項目を保存するための一時レポジトリから構成され、ここに、異種フォーマット情報の各項目がクライアント識別子のタグを付けられる。同システムはさらに、クライアントと希望する出力情報のフォーマットに対応したクライアント識別子をユーザーから受ける入力モジュールからも構成される。同システムにはクローラと抽出子が一個ずつ存在し、一時レポジトリをクロールし、異種フォーマット情報の項目に付いたタグを読み取り、受け取ったクライアント識別子タグ付きの全項目を抽出する。同システムは異種フォーマット情報の抽出項目を、受け取った必要な出力情報フォーマットに変換する変換ツールから構成される。次にシステムに存在する一個の校合子はクライアント識別子に対応する変換された項目を、一組の受け取ったコマンドセットに基づいて校合し、クライアントに関連する校合済み情報を取得し、この校合済み情報を表示する。
【００１１】
異種フォーマット情報の校合と表示に係るコンセプトを説明するためにこの要約を記載した。このコンセプトは以下でさらに詳しく説明される。この要約は本発明のすべての本質的特長を特定するものでも、本発明の範囲を規定し限定することも意図していない。
【００１２】
付帯図面の簡単な説明 
次に本発明による異種フォーマット情報を校合、表示するためのコンピュータ利用システムおよび方法を、付帯図面を用いて説明する。図面は以下の通りである。
【図面の簡単な説明】
【００１３】
【図１】図1は異種フォーマット情報をユーザーの望むフォーマットで校合・表示するためのシステム実施形態の概念図を表す。
【図２】図2は異種フォーマット情報をユーザーの望むフォーマットで校合・表示する方法を表す。
【発明を実施するための形態】
【００１４】
発明の詳細な説明
本発明のシステムを付帯図面に示す実施形態を参照しながら以下で説明する。この実施例は本発明の範囲を限定するものではない。説明はあくまでも、例示および開示されたシステムの優先的実施形態とその用途提案のために行われる。
【００１５】
本発明のシステムならびに様々な特長および優位性の詳細を限定することのない実施例を参照することによって以下に説明する。確立している既存のパラメタならびに処理技術についての説明は省略し、本発明の実施例についての理解を不要に困難にしないようにした。本発明に使用されている例は単に本発明の実施例を実用化可能にする方法の理解を容易にし、この分野の技能を持つ者が本発明の実施例を実施することを可能にすることのみを目的としている。従って、例によって本発明の実施例の範囲を限定するものと解釈されてはならない。
【００１６】
本発明のシステムはクライアントの個人情報を追加の関連情報とともに一時レポジトリに保存する。保存された情報項目は通常は異なるフォーマットのものであって、これらは次にシステムによりシステムユーザーの望むフォーマットまたは予め定義されたフォーマットに変換される。次に変換された情報はユーザーに対して一括表示され次の処理を行うことができる。
【００１７】
付帯図面を参照すると、図1は異種フォーマット情報をユーザーの望むフォーマットまたは予め定義されたフォーマットで校合・表示するためのシステム実施形態の模式図100を表す。
【００１８】
本発明により意図されるシステム100は一組の規則を保存するように構成された一個のメモリ102から構成される。メモリ102は記憶されている一組の規則を使用して一組のコマンドを生成するプロセッサ104に結合されている。同コマンドはシステム100内にあるモジュールへ送られ、異種フォーマット情報を校合・表示する。システム100はさらに、異種フォーマット情報ファイル/項目を保存した一時レポジトリ106から構成され、ここに、クライアントとは、特定の処理および/または後続処理のために保存すべき情報の主体であるユーザーを意味する。一時レポジトリ106に保存されたクライアント情報ファイルはクライアントに予め割り当て済みの固有のクライアント識別子/ クライアントIDのタグが付けられている。追加情報は特定のクライアント識別子に対応する一時レポジトリ106に保存される。この追加情報はクライアント名、連絡先、クライアント本人確認用の写真その他の関連書類、および/または関連クライアント情報を含む、メディアファイルなどの情報を含む複数の項目を含む。一時レポジトリ106に保存されたこれらの項目は異なるフォーマットであって、限定することなく、異なる画像形式（JPEG、TIFF、PNGなど）、動画形式（MPEG、3GP、MOVなど）、PDF、DOC、XSL、HTMLや同様の形式を含む。異なる形式には異なる言語フォーマットによる情報項目も含んでよい。ある実施形態においては、異なる形式はECG、X線画像などの医療情報を含む。システム100はこれらのフォーマットを解析し、これらを読み取り可能なフォーマットに変換し、次に、これらの項目を読み取り可能なフォーマットで一時レポジトリ106に保存する。
【００１９】
システム100は、その詳細情報が後続処理のために単一フォーマットで校合されることを要する特定クライアントに固有のクライアント識別子をユーザーが入力することを可能にする入力モジュール108からも構成される。さらに入力モジュール108は、必要な出力情報フォーマットをユーザーから受け取り、クライアント関連情報を変換するフォーマットを決定する。システム100内のクローラと抽出子110はクライアント識別子を入力モジュール108から受け取り、一時レポジトリ106をクロールして異種フォーマット情報の項目に付いたタグを読み取り、受け取ったクライアント識別子のタグ付きの全項目を抽出する。これらの抽出項目は変換ツール112へ渡される。変換ツール112には抽出項目をユーザー定義形式か予め定義された形式のいずれかに変換することを可能にする複数の変換ツールが含まれる。変換ツール112は入力モジュール108からユーザーから与えられた必要な出力情報フォーマットを受け取り、異種フォーマット情報の抽出された項目を受け取った必要な出力情報フォーマットに変換する。一つの実施形態においては、変換ツール112は抽出情報のフォーマットを識別し、この情報を正しい変換ツールに引き渡す。例えば、抽出情報がクライアントのTIFF形式写真/画像で必要な形式がPDF形式であるとすると、変換ツール112は画像のTIFF形式を識別した後、画像を変換ツール112に含まれるTIFF→PDF変換ツールに引き渡す。変換ツール112が抽出情報のフォーマットを識別できない場合、システム100はクライアントに通知し、クライアントに許容される形式の情報を提供するように要求を送る。一実施形態において、クライアントが情報/文書を許容形式で提供できない場合、システム100はクライアントに情報フォーマットが何であるかを要求する。システム100は情報フォーマットに基づいて対応する変換ツールを取得する、またはユーザーに適合する変換ツールを提供するよう要求する。
【００２０】
一つの実施形態においては、変換ツール112は情報の関連項目の言語を必要な言語に翻訳するための翻訳ツール(図示されていない)を含む。クライアントがシステム100では初期定義されていない言語による関連文書/情報 ファイルを提供することもありうる。このような状況においては、翻訳ツールがこの言語をこれらの情報項目を適合する初期設定言語に翻訳する。別の実施形態において、翻訳ツールはユーザーに情報の翻訳を要する言語を指定するように要求する。別の実施形態において、変換ツール112はECG、X線などの医療報告書を読み取り可能なフォーマットに変換する。
【００２１】
フォーマット識別と必要な翻訳の際、すべての情報がユーザーの指定した単一形式と言語に変換される。次に、変換された項目は校合子114に引き渡され、ここでクライアント識別子に対応する変換された項目を校合し、クライアント関連の校合済み情報を取得し、これをディスプレイ116に表示し後続処理を可能にする。 
【００２２】
校合済み情報は情報項目または文書のうち特定の必須事項が欠如している場合、不完全なものと見なされる場合がある。一実施形態において、校合子114は変換された項目が予め定義された必須情報を含むかを確認するための確認モジュール114を含む。確認モジュール114aは必須情報が欠如しているとユーザーに通知する。ユーザーは対応した処置を取ることができる。
【００２３】
一つの実施形態においては、システム100は複数のクライアントを登録し、登録が完了したら異種フォーマット情報の項目をクライアントから受け取り、 一時レポジトリ106に保存するように構成された登録モジュール118を含む。同登録過程の一環としてクライアントはメールアドレスとパスワードを指定するよう要求される。登録が完了したらシステムが生成した登録確認メールがクライアントへ送られる。登録されたクライアント関連の 情報項目はクライアント識別子によってタグを付けられ、一時レポジトリ106に保存される。一つの実施形態においては、システム100は対応するクライアント識別子のタグ付き校合済み情報を校合子114から受け取り、この校合済み情報を保存するように構成された常駐レポジトリ120も含む。一実施形態において、同常駐レポジトリ 120は複数の予め定義された必要項目と異種フォーマット情報の複数項目に対応する閾値を保存している。このデータは特定の情報種別に関する必要項目の表形式で保管されている。異種フォーマット情報は予め定義された必要項目を有する任意の種別の情報であってよい。保存された表は 特定の項目を認証するために同項目に存在していなければならない必要項目数の閾値を含む。必要項目とは、項目の変換・校合のために必須の項目内にあるべき特徴点を意味する。例えば、旅券の画像の場合、システム100は常駐レポジトリ120にある旅券画像に存在していなければならない必要項目数の予め定義された閾値を保存している。
【００２４】
一つの実施形態においては、システム100は抽出項目をクローラと抽出子110から受け取り、これらの項目内の必要項目を識別する識別子とカウンター122を含む。次に識別子とカウンター122はこれらの識別された必要項目を計数し、項目に対応する必要項目数を取得する。システム100は取得された必要項目数を常駐レポジトリ120に保存されている閾値と照合し、認証された項目を取得するための認証子124も含む。認証子124は異なる必要項目、例えば、旅券の写真が保存されている写真と一致するか否か、認証のスタンプが真正であるか否かなどについても確認する。識別子とカウンター122は受け取った旅券写真を確認し、その画像にある必要項目数を決定し、認証子124はその画像にある必要項目が規定閾値を満たすか否かを判断する。画像に十分な必要項目があれば、認証される。別の実施例を考察すると、クライアントが査証申請写真をシステム100へ校合のために送り、異なる国の当局が規定した査証写真規定に関わる特定のガイドラインとルールが存在している。この場合、同文書/写真の必要項目は規定ガイドラインとルールに基づく。例えば、査証写真の場合、写真に写る人物の両耳が明瞭に見えていなければならない。同文書/情報の場合の必要項目には両耳が露出していることが含まれる。写真においてその他の必要項目と両耳が明確に識別された場合、写真は認証され、次の処理が可能になる。認証子124は提出された情報/文書の充足性/信憑性の確認をするように構成されている。例えば、証明書がクライアントによって提出された場合、認証子124が特定の確認を実行する。これらの確認事項には異なる必要項目が提出情報にあるか否か、およびこれらの必要項目が真正のものであるか否かを含む。この確認には証明書の封印が真正のものであるか否か、証明書が認証済みの者によって署名されたか否か、クライアントの名前が証明書の名前と一致するか否かを含む。綴りミスの確認も行われる。証明書の氏名がクライアントの氏名と一致しない場合、システム100はこうした不一致を根拠づける根拠文書/情報がクライアントにより提出されているかを確認する。これらの必要項目と規則はユーザーが初期設定または規定することができる。文書/情報にある識別済みの必要項目が不十分であるか、規定に従わない場合、システム100はクライアントまたは情報提出者に文書/情報の定性を要求する。認証子124には、異種フォーマット情報項目をDNA型鑑定技術により認証するように構成されたDNA認証子124aも含む。このためにはシステム100は校合前にクライアントのDNA情報を収集し、DNA照合技術を利用して項目を認証する。
【００２５】
一実施形態において、システム100は常駐レポジトリ120と協業し、保存済みの複数の予め定義された閾値を編集するエディター126を含む。この機能によりユーザーは特定項目の閾値を指定することができる。ユーザーは認証対象項目の重要度を決定することができるので閾値は設定可能である。これはシステム100のアプリケーションに依存しうる。ユーザーは異なる種類の項目に異なる閾値を設定することができる。
【００２６】
一実施形態において、システム100は生体認証登録を可能にする。ここに、クライアントの生態認証詳細データが関連異種フォーマット情報とともにシステムに保存される。この生体認証登録は登録手続きの際収録されるクライアントの動画を記録するための動画収録機能も含み、今後の認証プロセスに利用できる。
【００２７】
同システムは政府機関が義務付けるデータ保護法に準拠する。クライアントまたはユーザーによって特定のパージガイドラインを設定することができる、またはシステム100に規定として設定してもよい。これらのガイドラインはクライアントごとに異なってよい。例えば、あるクライアントは他のクライアントより少ない日数だけ情報の保存を望む場合がある。これを実現するには、一実施形態においてシステム100は、予め定義された機関が経過すると異種フォーマット情報の保存された項目を一時レポジトリ106から消去するように構成される。システム100は消去ルーチンに障害が発生したときにユーザーに通知するようにも構成される。故障原因はこれで特定され、修繕されることができ、システム100の正常な機能が確保される。
【００２８】
図2は本発明の実施形態に従った異種フォーマット情報を校合し、ユーザーの望むフォーマットで,表示する方法200を表す。方法200には一組のルール保存とルール 202に基づいた一組のコマンド生成を含む。さらに複数の項目の異種フォーマット情報を一時レポジトリに保存しここで、異種フォーマット情報の各項目がクライアント識別子204でタグ付けされる形態も含む。方法200はさらに、ユーザーからクライアントと希望する出力情報のフォーマット206に対応したクライアント識別子を受け入れる手順を含む。クライアント識別子と必要な出力情報フォーマットが受け入れられると、方法200は一時レポジトリのクロール、異種フォーマット情報項目に付いたタグの読み取り、一組のコマンド208に基づいて承認されたクライアント識別子のタグ付き全項目の抽出を含む。抽出手順の次に、方法200は異種フォーマット情報の抽出された項目を承認された必要な出力情報フォーマットに一組のコマンドに基づいて変換し、変換された項目210を取得する。変換された項目をクライアント識別子に対応する一組のコマンドに基づいて校合し、クライアント212関連の校合済み情報を取得する手順も方法200に含まれ、これにはさらに一組のコマンド214に基づく校合済み情報の表示も含む。
【００２９】
一実施形態において、方法200には複数のクライアント登録手順とクライアントからの異種フォーマット情報の項目受け取り手順と、登録完了時における一時レポジトリへの保存も含む。さらに方法200は、常駐レポジトリ、対応するクライアント識別子のタグが追加校合済み情報、異種フォーマット情報の複数の項目内での必要項目に対して複数の予め定義された閾値を保存することも含む。方法100は抽出項目の中から必要項目を識別し、項目の中から識別された必要項目を数え、項目に対応する必要項目数を取得し、常駐レポジトリから得る保存済みの閾値を抽出項目の中から取得された必要項目数と照合し、項目を認証し、保存済みの複数の予め定義された閾値を編集することも含む。異種フォーマット情報の保存された項目を予め定義された期間経過後に,一時レポジトリから消去し、変換された項目が予め定義された必須情報を含むことを確認し、必須情報がない場合にはユーザーに通知する手順も含まれる。方法200はDNA型鑑定技術を使用した異種フォーマット情報項目の認証も含む。
【００３０】
技術進歩
異種フォーマット情報を上記に説明された本発明に従い校合するコンピュータ利用システムと方法は限定されることなく以下を含む数種類の技術進歩を有する。
・複数のフォーマットで存在する情報を校合するシステム
・相互に遠隔地に散在する異なる場所に存在する情報を校合するシステム
・校合された異種フォーマット情報を変換しユーザーが指定するフォーマットで表示するシステム
・ユーザーが介入することにより不明な情報フォーマットに適するフォーマットが取得できるシステム
【００３１】
前記の具体的実施例は本発明の実施例が持つ一般的性質をじゅうぶんに明らかにしているので、現状の知識を適用することにより他者は前記の一般的概念から乖離することなく前記の具体的実施例を異なる用途のために変更および/または適合することができる。従って、同適合や変更は本発明の実施例と同等の物としての意味およびその範囲で理解されることが意図されるべきであり、意図されている。本明細書に使用されている句節の用法や用語は説明目的のためであって限定するために使用されてはいない。従って、本明細書に記載された実施例は優先的実施例に基いて説明されていると同時に、同分野の技能を有する者は本明細書に記載された実施例が本明細書で説明された実施例の意図および範囲で変更しても実践可能であることが認められる。
【図１】
2017530485.tif 000003
【図２】
2017530485.tif 000004
【国際調査報告】
2017530485.tif 000005
2017530485.tif 000006